(57)【要約】【課題】聴取中のラジオ音声におけるフォアチェックに起因したノイズの発生を抑えつつ、ステーションリストの更新頻度を増やす。【解決手段】頻度設定部１３は、ラジオ制御部１２からデジタル放送波の音声信号が出力されている場合であって、かつ、ラジオチューナ３で受信中の放送局の受信品位が予め定められた閾値以上である場合、フォアチェック実行部１４によるフォアチェックの頻度を初期値より増やす。フォアチェック実行部１４は、頻度設定部１３が設定した頻度でフォアチェックを実行する。【選択図】図３
2017046136.tif 000002
【特許請求の範囲】
【請求項１】
１つの放送局から発信されるラジオ放送波にアナログ放送波とデジタル放送波とを含むラジオ放送波を受信するラジオチューナと、
前記ラジオチューナで受信中の放送局のデジタル放送波に含まれている音声信号をデコードするデコーダと、
前記ラジオチューナで受信中の前記放送局のアナログ放送波に含まれている音声信号、または前記デコーダによりデコードされた前記デジタル放送波の音声信号のいずれか一方を出力するラジオ制御部と、
前記ラジオチューナで受信中の前記放送局とは別の放送局を選局して受信可能な放送局を判別するフォアチェック実行部と、
前記ラジオ制御部から前記デジタル放送波の音声信号が出力されている場合であって、かつ、前記ラジオチューナで受信中の前記放送局の受信品位が予め定められた閾値以上である場合、前記フォアチェック実行部によるフォアチェックの頻度を初期値より増やす頻度設定部とを備える放送受信装置。
【請求項２】
前記頻度設定部は、前記ラジオ制御部から前記デジタル放送波の音声信号が出力されている場合であって、かつ、前記ラジオチューナで受信中の前記放送局の受信品位が予め定められた閾値以上である場合、当該受信品位が高いほどフォアチェックの頻度を増やすことを特徴とする請求項１記載の放送受信装置。
【請求項３】
移動体に搭載されることを特徴とする請求項１または請求項２記載の放送受信装置。
【発明の詳細な説明】
【技術分野】
【０００１】
この発明は、車両などの移動体に搭載されて放送波を受信する放送受信装置に関するものである。
【背景技術】
【０００２】
ラジオ放送を受信する放送受信装置において、ユーザによる聴取のためにある局のラジオ放送を受信している間に、他局の受信品位を判定して、受信可能と判定された局をリスト化して蓄えるステーションリスト機能を有するものがある（例えば、特許文献１参照）。
【先行技術文献】
【特許文献】
【０００３】
【特許文献１】特開２０１３−１９１９６１号公報
【発明の概要】
【発明が解決しようとする課題】
【０００４】
シングルチューナの放送受信装置でステーションリスト機能を行う場合、他局の受信品位を確認するために、現在ラジオ放送を受信している局から一時的に他局に同調する必要がある。以下、この動作をフォアチェックと称する。
【０００５】
例えば、アナログラジオ放送を受信中にフォアチェックを行う場合、現在ラジオ放送を受信している局との同調が外れてノイズが発生することで、聴取中のラジオ音声の品質が劣化し、違和感が生じることが避けられない。一方、車両などの移動体に搭載されている放送受信装置は、車両の移動と共に受信環境が時々刻々と変化するため、よりリアルタイムにステーションリストを更新する必要が有り、フォアチェックを実行する頻度は高いことが望ましい。しかし、聴取中のラジオ音声にノイズが発生することとステーションリストの更新頻度を増やすことはトレードオフの関係であり、ステーションリストの更新頻度を増やすと聴取中のラジオ音声に生じるノイズも増える。
【０００６】
この発明は、上記のような課題を解決するためになされたもので、聴取中のラジオ音声におけるフォアチェックに起因したノイズの発生を抑えつつ、ステーションリストの更新頻度を増やすことを目的とする。
【課題を解決するための手段】
【０００７】
この発明に係る放送受信装置は、１つの放送局から発信されるラジオ放送波にアナログ放送波とデジタル放送波とを含むラジオ放送波を受信するラジオチューナと、ラジオチューナで受信中の放送局のデジタル放送波に含まれている音声信号をデコードするデコーダと、ラジオチューナで受信中の放送局のアナログ放送波に含まれている音声信号、またはデコーダによりデコードされたデジタル放送波の音声信号のいずれか一方を出力するラジオ制御部と、ラジオチューナで受信中の放送局とは別の放送局を選局して受信可能な放送局を判別するフォアチェック実行部と、ラジオ制御部からデジタル放送波の音声信号が出力されている場合であって、かつ、ラジオチューナで受信中の放送局の受信品位が予め定められた閾値以上である場合、フォアチェック実行部によるフォアチェックの頻度を初期値より増やす頻度設定部とを備えるものである。
【発明の効果】
【０００８】
この発明によれば、ラジオ制御部からデジタル放送波の音声信号が出力されている場合であって、かつ、ラジオチューナで受信中の放送局の受信品位が予め定められた閾値以上である場合、フォアチェック実行部によるフォアチェックの頻度を初期値より増やすようにしたので、聴取中のラジオ音声におけるフォアチェックに起因したノイズの発生を抑えつつ、ステーションリストの更新頻度を増やすことができる。
【図面の簡単な説明】
【０００９】
【図１】この発明の実施の形態１に係る放送受信装置の構成例を示すブロック図である。
【図２】実施の形態１における制御部の内部構成例を示すブロック図である。
【図３】実施の形態１に係る放送受信装置の動作を示すフローチャートである。
【発明を実施するための形態】
【００１０】
実施の形態１．
図１は、この発明の実施の形態１に係る放送受信装置１の構成例を示すブロック図である。放送受信装置１は、車両などの移動体に搭載されるものであり、ＨＤ（Ｈｉｇｈ  Ｄｅｆｉｎｉｔｉｏｎ）ラジオなどのような、１つの放送局から発信されるラジオ放送波にアナログ放送波とデジタル放送波とを含むラジオ放送波を受信するものである。この放送受信装置１は、アンテナ２に接続するラジオチューナ３、ディスク再生部４、メモリＩ／Ｆ（Ｉｎｔｅｒｆａｃｅ）部５、制御部６、ＨＭＩ（Ｈｕｍａｎ  Ｍａｃｈｉｎｅ  Ｉｎｔｅｒｆａｃｅ）部７、およびスピーカ８に接続する音声出力部９を備えている。
【００１１】
アンテナ２は、１つの放送局に対応する周波数帯域にアナログ放送波とデジタル放送波とが含まれているラジオ放送波を受信し、受信した信号をラジオチューナ３へ出力する。ラジオチューナ３は、アンテナ２が受信した信号を検波および復調する。そして、ラジオチューナ３は、アナログ放送波を復調した音声信号と、デジタル放送波を復調した音声信号を、制御部６へ出力する。
また、ラジオチューナ３は、受信中のラジオ放送波の電界強度またはノイズなどを検出し、受信品位を示す受信品位情報として制御部６へ出力する。
【００１２】
ディスク再生部４は、ＣＤ（Ｃｏｍｐａｃｔ  Ｄｉｓｃ）などのディスクを再生するディスク再生装置である。ディスク再生部４は、ディスクに記憶された音声信号を読み出して、制御部６へ出力する。
【００１３】
メモリＩ／Ｆ部５は、音声信号を記憶しているＵＳＢ（Ｕｎｉｖｅｒｓａｌ  Ｓｅｒｉａｌ  Ｂｕｓ）メモリなどの記憶媒体を接続するコネクタなどである。制御部６は、メモリＩ／Ｆ部５を介して、記憶媒体に記憶された音声信号を読み出す。
【００１４】
制御部６は、不図示のメモリと、このメモリに記憶されているプログラムを実行する処理回路から構成される。処理回路とは、ＣＰＵ（Ｃｅｎｔｒａｌ  Ｐｒｏｃｅｓｓｉｎｇ  Ｕｎｉｔ）、マイクロプロセッサ、またはＤＳＰ（Ｄｉｇｉｔａｌ  Ｓｉｇｎａｌ  Ｐｒｏｃｅｓｓｏｒ）などである。メモリとは、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）等の不揮発性または揮発性の半導体メモリであってもよいし、ハードディスク、フレキシブルディスク等の磁気ディスクであってもよいし、ミニディスク、ＣＤ、ＤＶＤ（Ｄｉｇｉｔａｌ  Ｖｅｒｓａｔｉｌｅ  Ｄｉｓｃ）等の光ディスクであってもよい。
【００１５】
制御部６は、ラジオチューナ３、ディスク再生部４およびメモリＩ／Ｆ部５からの複数の音声信号のうち、音声出力すべき音声信号を選択して音声出力部９へ出力する。また、制御部６は、ＨＭＩ部７からユーザの操作内容を受け付け、その操作内容に応じて放送受信装置１の各部を制御する。また、制御部６は、ラジオ放送波を受信可能な放送局がリスト化されたステーションリストなどの表示すべき情報を、ＨＭＩ部７へ出力する。
【００１６】
音声出力部９は、制御部６から受け取った音声信号を、スピーカ８へ出力する。スピーカ８は、音声出力部９から受け取った音声信号を音波として放射する。
【００１７】
ＨＭＩ部７は、出力装置および入力装置を備える。
ＨＭＩ部７の出力装置は、例えばディスプレイである。ＨＭＩ部７は、ラジオ放送波を受信可能な放送局がリスト化されたステーションリストなどの情報を制御部６から受け取り、ディスプレイに表示する。
ＨＭＩ部７の入力装置は、例えばディスプレイ上に配置されたタッチパネル、または放送受信装置１の筐体に設けられたボタンなどである。ＨＭＩ部７は、タッチパネルなどに対するユーザの操作を受け付けてその操作内容を制御部６へ出力する。ユーザは、入力装置を操作することにより、制御部６に対して音声ソースの選択および受信する放送局の選択などを指示する。
【００１８】
なお、図１に示す放送受信装置１においては、音声ソースとしてラジオチューナ３、ディスク再生部４およびメモリＩ／Ｆ部５を備える構成にしたが、音声ソースとして少なくともラジオチューナ３を備える構成であればよい。
【００１９】
図２は、実施の形態１における制御部６の内部構成例を示すブロック図である。なお、図２においては、制御部６が有する各種機能のうち、ラジオ放送波の受信に関する機能について図示するものとし、他の機能については図示を省略する。
【００２０】
制御部６は、ＤＳＰ１１およびデコーダ１５を備えている。
ＤＳＰ１１は、ラジオチューナ３で受信中の放送局のアナログ放送波またはデジタル放送波のいずれか一方に含まれている音声信号を音声出力部９へ出力するラジオ制御部１２、フォアチェックを行う頻度を設定する頻度設定部１３、および頻度設定部１３により設定された頻度でフォアチェックを実行するフォアチェック実行部１４の各機能を実現するための処理回路である。
【００２１】
ラジオ制御部１２、頻度設定部１３およびフォアチェック実行部１４の各機能は、ソフトウェア、ファームウェア、またはソフトウェアとファームウェアとの組み合わせにより実現される。ソフトウェアまたはファームウェアはプログラムとして記述され、不図示のメモリに格納される。ＤＳＰ１１は、不図示のメモリに記憶されたプログラムを読み出して実行することにより、各部の機能を実現する。即ち、放送受信装置１は、ＤＳＰ１１により実行されるときに、アナログ放送波またはデジタル放送波のいずれか一方に含まれている音声信号を出力するステップ、フォアチェックを行う頻度を設定するステップ、および設定された頻度でフォアチェックを実行するステップが結果的に実行されることになるプログラムを格納するための不図示のメモリを備える。また、このプログラムは、ラジオ制御部１２、頻度設定部１３およびフォアチェック実行部１４の手順または方法をコンピュータに実行させるものであるともいえる。
【００２２】
なお、実施の形態１においては、ラジオチューナ３とＤＳＰ１１とデコーダ１５を、それぞれ独立した回路として構成したが、ラジオチューナ３とＤＳＰ１１とデコーダ１５のうちの２つ以上の機能を備えた一つの集積回路として構成してもよい。
【００２３】
デコーダ１５は、デジタル放送波の音声信号をラジオチューナ３から受け取り、デコードして、ＤＳＰ１１へ出力する。例えば、デジタル放送波が直交周波数分割多重変調（ＯＦＤＭ）された信号である場合、デコーダ１５は、ラジオチューナ３から受け取った信号をＯＦＤＭ復調し、復調した信号に対してエラー訂正およびノイズ抑圧などの各種処理を施した後、ＤＳＰ１１へ出力する。このデコーダ１５は、メモリ１６を有しており、各種処理を施した後の音声信号を所定期間蓄積しておき、先に蓄積した音声信号から順次ＤＳＰ１１へ出力する。
【００２４】
このデコーダ１５は、ラジオチューナ３におけるデジタル放送波の受信品位が受信限界より高ければ、このデジタル放送波の音声信号をデコードすることができるが、受信環境が悪化してデジタル放送波の受信品位が受信限界以下になると、デコードできない。デコーダ１５は、ラジオチューナ３から受け取ったデジタル放送波の音声信号をデコードしているか否かを示すデコード可否情報を、ＤＳＰ１１へ出力する。
【００２５】
ラジオ制御部１２は、ユーザが選局した放送局をＨＭＩ部７を介して受け付け、その放送局からのラジオ放送波を受信するようラジオチューナ３を制御する。
また、ラジオ制御部１２は、デコーダ１５からデコード可否情報を受け取り、このデコード可否情報に基づいて、デジタル放送波の音声信号を音声出力部９へ出力するか、アナログ放送波の音声信号を音声出力部９へ出力するかの切り替えを行う。即ちラジオ制御部１２は、デコーダ１５においてデコードが行われている場合にはこのデコーダ１５から受け取るデジタル放送波の音声信号を音声出力部９へ出力し、デコーダ１５においてデコードが行われていない場合にはラジオチューナ３から受け取るアナログ放送波の音声信号を音声出力部９へ出力する。これにより、ユーザは、通常はフェージング耐性が強く音声品質も高いデジタル放送波のラジオ音声を聴取できる。また、受信環境が悪化してデジタル放送波の受信限界以下になると、自動的にデジタル放送波のラジオ音声からアナログ放送波のラジオ音声に切り替わるため、聴取を継続できる。
【００２６】
なお、デジタル放送波はデコードおよびメモリ１６への一時蓄積などに時間を要するため、デジタル放送波を受信してから出力するまでにかかる時間は、アナログ放送波を受信してから出力するまでにかかる時間に比べて長い。そのため、ラジオ制御部１２は、デジタル放送波の音声出力からアナログ放送波の音声出力への移行を滑らかに行うために、アナログ放送波の音声信号を音声出力部９へ出力するに際して、予め定められた遅延時間を設けることとする。
【００２７】
頻度設定部１３は、フォアチェックを実行する頻度を設定する。この頻度設定部１３は、ラジオ制御部１２からデジタル放送波に含まれている音声信号が出力されている場合であって、かつ、ラジオチューナ３で受信中の放送局の受信品位が予め定められた閾値以上である場合、フォアチェックの頻度を予め定められた初期値よりも増やした値に設定し、それ以外の場合には初期値に設定する。
【００２８】
また、頻度設定部１３は、ラジオチューナ３で受信中の放送局の受信品位が予め定められた閾値以上である場合に、受信品位が高いほどフォアチェックの頻度を増やすようにしてもよい。ただし、フォアチェックの頻度が増えるとラジオチューナ３で受信中の放送局の受信品位が低下するため、フォアチェックの頻度が増えすぎるとデコーダ１５においてデジタル放送波の音声信号をデコードできなくなり音声出力対象がデジタル放送波からアナログ放送波へ切り替わってしまう。そのため、頻度設定部１３がフォアチェックの頻度を増やす際、デジタル放送波からアナログ放送波に切り替わらない程度の頻度を上限値とする。
【００２９】
頻度設定部１３は、ラジオ制御部１２からデジタル放送波に含まれている音声信号が出力されているか否かを、例えばデコーダ１５からのデコード可否情報に基づいて判断する。デコード可否情報がデコーダ１５においてデコードが行われていることを示している場合、ラジオ制御部１２から音声出力部９へデジタル放送波の音声信号が出力されていることになる。
【００３０】
頻度設定部１３は、ラジオチューナ３で受信中の放送局の受信品位が予め定められた閾値以上であるか否かを、例えばラジオチューナ３からの受信品位情報に基づいて判断する。また、頻度設定部１３は、ラジオチューナ３からの受信品位情報の代わりに、もしくはラジオチューナ３からの受信品位情報に加えて、デコーダ１５において検出されるＳＮＲ（Ｓｉｇｎａｌ  ｔｏ  Ｎｏｉｓｅ  Ｒａｔｉｏ）などの受信品位を示す情報に基づいて、上記判断を行ってもよい。
上述したように、フォアチェックの頻度が増えると音声出力対象がデジタル放送波からアナログ放送波へ切り替わってしまうため、受信品位の閾値は、デジタル放送波の受信限界より高く、かつ、フォアチェックの頻度を増やしてもアナログ放送波へ切り替わらない程度の値とする。
【００３１】
フォアチェック実行部１４は、頻度設定部１３により設定された頻度でフォアチェックを実行する。このフォアチェック実行部１４は、ラジオチューナ３が受信している放送局とは別の放送局を選局して、受信可能な放送局を判別する。ラジオチューナ３が受信している放送局とは、ユーザがＨＭＩ部７を介して選局した放送局である。
【００３２】
なお、放送受信装置１はシングルチューナであるため、ラジオチューナ３がアンテナ２のみを用いてステーションリスト機能を行う。このとき、フォアチェック実行部１４は、ラジオチューナ３を制御して、ラジオ放送波を現在受信している放送局の同調を一時的に外し、チェック対象の他の放送局に一時的に同調させる。フォアチェック実行部１４は、フォアチェックの結果、受信可能と判別した放送局をリスト化してステーションリストを作成する。
【００３３】
次に、放送受信装置１の動作を説明する。
図３は、実施の形態１に係る放送受信装置１の動作を示すフローチャートである。放送受信装置１は、起動している期間、このフローチャートに示された処理を繰り返し行う。
ステップＳＴ１において、頻度設定部１３は、ラジオ制御部１２から音声出力部９へデジタル放送波の音声信号が出力されているか否かを判断する。頻度設定部１３は、デジタル放送波の音声信号が出力されていると判断した場合（ステップＳＴ１“ＹＥＳ”）、ステップＳＴ２へ進み、アナログ放送波の音声信号が出力されていると判断した場合（ステップＳＴ１“ＮＯ”）ステップＳＴ３へ進む。
【００３４】
ステップＳＴ２において、頻度設定部１３は、ラジオチューナ３で受信中の放送局の受信品位が予め定められた閾値以上であるか否かを判断する。頻度設定部１３は、受信品位が予め定められた閾値以上であると判断した場合（ステップＳＴ２“ＹＥＳ”）、ステップＳＴ４へ進み、受信品位が予め定められた閾値より低いと判断した場合（ステップＳＴ２“ＮＯ”）、ステップＳＴ３へ進む。
【００３５】
ステップＳＴ３において、頻度設定部１３は、フォアチェックの頻度を、予め定められた初期値に設定する。例えば、フォアチェック実行部１４において１回のフォアチェック実行に５〜１０ミリ秒かかる場合、頻度設定部１３は、フォアチェックの頻度を１秒に１回とする。
【００３６】
ステップＳＴ４において、頻度設定部１３は、フォアチェックの頻度を、予め定められた初期値より増やした値に設定する。例えば、フォアチェック実行部１４において１回のフォアチェック実行に５〜１０ミリ秒かかる場合、頻度設定部１３は、フォアチェックの頻度を１００ミリ秒に１回とする。また、頻度設定部１３は、受信品位が高いほどフォアチェックの頻度を増やす場合、例えば受信品位と頻度との対応関係を示すテーブルまたは換算式などを用いてフォアチェックの頻度を設定すればよい。
【００３７】
これにより、スピーカ８からアナログ放送波の音声信号が音声出力されている場合、フォアチェックの頻度は１秒に１回程度であるため、フォアチェックによるノイズの発生を抑えることができ、聴取中のラジオ音声に生じる違和感を抑制できる。
一方、スピーカ８からデジタル放送波の音声信号が音声出力されている場合、フォアチェックの頻度が増えるため、ステーションリストの更新頻度を増やすことができる。また、デジタル放送波の音声信号はデコード時にノイズ抑圧などの処理が施されるため、フォアチェックによる違和感は起こらない。
【００３８】
以上より、実施の形態１によれば、放送受信装置１は、１つの放送局から発信されるラジオ放送波にアナログ放送波とデジタル放送波とを含むラジオ放送波を受信するラジオチューナ３と、ラジオチューナ３で受信中の放送局のデジタル放送波に含まれている音声信号をデコードするデコーダ１５と、ラジオチューナ３で受信中の放送局のアナログ放送波に含まれている音声信号またはデコーダ１５によりデコードされたデジタル放送波の音声信号のいずれか一方を出力するラジオ制御部１２と、ラジオチューナ３で受信中の放送局とは別の放送局を選局して受信可能な放送局を判別するフォアチェック実行部１４と、ラジオ制御部１２からデジタル放送波の音声信号が出力されている場合であって、かつ、ラジオチューナ３で受信中の放送局の受信品位が予め定められた閾値以上である場合、フォアチェック実行部１４によるフォアチェックの頻度を初期値より増やす頻度設定部１３とを備える構成にしたので、聴取中のラジオ音声におけるフォアチェックに起因したノイズの発生を抑えつつ、ステーションリストの更新頻度を増やすことができる。
【００３９】
また、実施の形態１によれば、頻度設定部１３は、ラジオ制御部１２からデジタル放送波の音声信号が出力されている場合であって、かつ、ラジオチューナ３で受信中の放送局の受信品位が予め定められた閾値以上である場合、当該受信品位が高いほどフォアチェックの頻度を増やす構成にすることにより、聴取中のラジオ音声におけるフォアチェックに起因したノイズの発生を抑えつつ、ステーションリストの更新頻度をさらに増やすことができる。
【００４０】
なお、本発明はその発明の範囲内において、実施の形態の任意の構成要素の変形、または実施の形態の任意の構成要素の省略が可能である。
【００４１】
また、本発明において説明した放送受信装置１は、人、車両、鉄道、船舶または航空機等を含む移動体用の放送受信装置であって、特に車両への持込あるいは車載に適した放送受信装置に関するものである。
【符号の説明】
【００４２】
１  放送受信装置、２  アンテナ、３  ラジオチューナ、４  ディスク再生部、５  メモリＩ／Ｆ部、６  制御部、７  ＨＭＩ部、８  スピーカ、９  音声出力部、１１  ＤＳＰ、１２  ラジオ制御部、１３  頻度設定部、１４  フォアチェック実行部、１５  デコーダ、１６  メモリ。
【図１】
2017046136.tif 000003
【図２】
2017046136.tif 000004
【図３】
2017046136.tif 000005